(57)【要約】【課題】簡易な構成で配光制御を行うことができる照明装置を提供する。【解決手段】照明装置１は、第１光源１１ｂと、第１光源１１ｂと異なる場所に配置された第２光源１３ｂと、光が入射する入射面８ａと、入射面８ａと交差しており、光が拡散される光拡散面８ｂと、光拡散面８ｂの反対側の面であり、光が出射する出射面８ｃとを有する導光板８とを備える。また、光拡散面８ｂには、光を反射する第１反射面８２ａを有し、かつ、凸状又は凹状である複数の光学構造８１が形成される。さらに、第１光源１１ｂ及び第２光源１３ｂの少なくとも一方は、入射面８ａを介して第１反射面８２ａと対向配置される。そして、導光板８は、第１光源１１ｂが点灯する場合に、第１配光角の光を出射面８ｃから出射し、第２光源１３ｂが点灯する場合に、第１配光角よりも大きい第２配光角の光を出射面８ｃから出射する。【選択図】図４
2018186006.tif 000002
【特許請求の範囲】
【請求項１】
第１光源と、
前記第１光源と異なる場所に配置された第２光源と、
光が入射する入射面と、前記入射面と交差しており、光が拡散される光拡散面と、前記光拡散面の反対側の面であり、光が出射する出射面とを有する導光板とを備え、
前記光拡散面には、光を反射する反射面を有し、かつ、凸状又は凹状である複数の光学構造が形成され、
前記第１光源及び前記第２光源の少なくとも一方は、前記入射面を介して前記反射面と対向配置され、
前記導光板は、
前記第１光源が点灯する場合に、第１配光角の光を前記出射面から出射し、
前記第２光源が点灯する場合に、前記第１配光角よりも大きい第２配光角の光を前記出射面から出射する
照明装置。
【請求項２】
前記光学構造は、長尺状であり、短手方向の断面で略二等辺三角形となる多面体構造である
請求項１に記載の照明装置。
【請求項３】
前記光学構造は、短手方向の断面で略二等辺三角形となる紡錘形状である
請求項１に記載の照明装置。
【請求項４】
前記第１光源、前記第２光源及び前記導光板を平面視した場合に、
前記第１光源は、前記第１光源の光軸が前記反射面に対して略直交状態となるように配置され、
前記第２光源は、前記第２光源の光軸が前記反射面に対して傾斜状態となるように配置される
請求項１〜３のいずれか１項に記載の照明装置。
【請求項５】
前記導光板は、平面視で、偶数の略多角形状をなし、
前記第１光源は、前記導光板の周囲に複数設けられ、前記導光板を介して対向配置され、
前記第２光源は、前記導光板の周囲に複数設けられ、前記導光板を介して対向配置される
請求項１〜４のいずれか１項に記載の照明装置。
【請求項６】
前記第１光源の点灯時における光量と、前記第２光源の点灯時における光量とは、実質的に同一である
請求項１〜５のいずれか１項に記載の照明装置。
【請求項７】
前記複数の光学構造は、前記光拡散面に規則的に配置されている
請求項１〜６のいずれか１項に記載の照明装置。
【請求項８】
前記光拡散面は、中央部分に位置する中央拡散面と、前記中央拡散面の周囲を囲むように位置する周辺拡散面とを有し、
前記複数の光学構造は、複数の第１光学構造と、前記第１光学構造よりも大きい第２光学構造とを有し、
少なくとも前記第２光学構造は、前記中央拡散面に配置され、
前記第１光学構造は、前記周辺拡散面に規則的に配置されている
請求項１〜６のいずれか１項に記載の照明装置。
【発明の詳細な説明】
【技術分野】
【０００１】
本発明は、導光板を用いた照明装置に関する。
【背景技術】
【０００２】
従来、第一の光源と、第二の光源と、導光板とを備える照明装置が開示されている（例えば、特許文献１参照）。導光板は、第一の光源からの光が入射する第一入光面と、第二の光源からの光が入る第二入光面と、第一入光面と第二入光面から取り入れた光を導光して出射する発光面と、発光面と対向する対向面とを有する。
【０００３】
対向面には、第一の光源からの光のみを反射する反射面を有する第一微細構造と、第二の光源からの光のみを反射する反射面を有する第二微細構造とが形成されている。
【０００４】
この照明装置では、第一の光源を点灯させた場合に、第一微細構造の反射面で光が反射し、第一発光領域を照明する。また、この照明装置では、第二の光源を点灯させた場合に、第一微細構造の反射面で光が反射し、第一発光領域を照明する。
【先行技術文献】
【特許文献】
【０００５】
【特許文献１】特開２０１２−１８２０１７号公報
【発明の概要】
【発明が解決しようとする課題】
【０００６】
しかしながら、通常の照明装置では、異なる場所の照明を切り替えることができるだけであり、住宅、事務所、倉庫等においては、使用者が存在するエリアの照明を行うために、配光制御を行うことができていない。そこで、第一の光源及び第二の光源の照射位置を変更させれば、照明装置が照明する領域を変更することができるが、照明装置の設備が複雑化する。
【０００７】
そこで、本開示は、簡易な構成で配光制御を行うことができる照明装置を提供することを目的とする。
【課題を解決するための手段】
【０００８】
上記目的を達成するため、本発明の一態様に係る照明装置は、第１光源と、前記第１光源と異なる場所に配置された第２光源と、光が入射する入射面と、前記入射面と交差しており、光が拡散される光拡散面と、前記光拡散面の反対側の面であり、光が出射する出射面とを有する導光板とを備え、前記光拡散面には、光を反射する反射面を有し、かつ、凸状又は凹状である複数の光学構造が形成され、前記第１光源及び前記第２光源の少なくとも一方は、前記入射面を介して前記反射面と対向配置され、前記導光板は、前記第１光源が点灯する場合に、第１配光角の光を前記出射面から出射し、前記第２光源が点灯する場合に、前記第１配光角よりも大きい第２配光角の光を前記出射面から出射する。
【発明の効果】
【０００９】
本開示の照明装置によれば、簡易な構成で配光制御を行うことができる。
【図面の簡単な説明】
【００１０】
【図１】図１は、実施の形態１に係る照明装置の斜視図である。
【図２】図２は、図１のＩＩ−ＩＩ線における実施の形態１に係る照明装置の断面図である。
【図３】図３は、実施の形態１に係る照明装置の分解斜視図である。
【図４】図４は、実施の形態１に係る照明装置における導光板、第１発光モジュール及び第２発光モジュールを示す平面図である。
【図５】図５は、実施の形態１に係る照明装置の導光板における光学構造を示す図である。
【図６】図６は、実施の形態１に係る照明装置の第１発光モジュール及び第２発光モジュールを選択的に点灯させた場合のイメージ図である。
【図７】図７は、シミュレーション解析で用いる光学構造を示す斜視図である。
【図８】図８は、図７の光学構造を用いた場合の配光曲線を示す図である。
【図９】図９は、図７の光学構造を用いた場合の配光曲線を示す図である。
【図１０】図１０は、図７の光学構造を用いた場合の配光曲線を示す図である。
【図１１】図１１は、図７の光学構造を用いた場合の配光曲線を示す図である。
【図１２】図１２は、実施の形態１の変形例に係る照明装置における光学構造を示す図である。
【図１３】図１３は、実施の形態２に係る照明装置における導光板、第１発光モジュール及び第２発光モジュールを示す平面図である。
【図１４】図１４は、図７の光学構造を用いた場合の配光曲線を示す図である。
【図１５】図１５は、実施の形態２の変形例に係る照明装置における導光板、第１発光モジュール及び第２発光モジュールを示す平面図である。
【図１６】図１６は、図７の光学構造を用いた場合の配光曲線を示す図である。
【発明を実施するための形態】
【００１１】
以下、本発明の実施の形態について、図面を参照しながら説明する。以下に説明する実施の形態は、いずれも本発明の好ましい一具体例を示すものである。したがって、以下の実施の形態で示される数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１２】
また、「略＊＊」との記載は、「略同一」を例に挙げて説明すると、全く同一はもとより、実質的に同一と認められるものを含む意図である。
【００１３】
なお、各図は、模式図であり、必ずしも厳密に図示されたものではない。また、各図において、実質的に同一の構成に対しては同一の符号を付しており、重複する説明は省略又は簡略化する。
【００１４】
（実施の形態１）
［構成］
図１は、実施の形態１に係る照明装置１の斜視図である。図２は、図１のＩＩ−ＩＩ線における実施の形態１に係る照明装置１の断面図である。図３は、実施の形態１に係る照明装置１の分解斜視図である。図４は、実施の形態１に係る照明装置１における導光板８、第１発光モジュール１１及び第２発光モジュール１３を示す平面図である。図５は、実施の形態１に係る照明装置１の導光板８における光学構造８１を示す図である。
【００１５】
図５の（ａ）は、照明装置１の導光板８における光学構造８１を示す部分拡大斜視図である。図５の（ｂ）は、照明装置１の導光板８における光学構造８１を示す平面図である。図５の（ｃ）は、図５の（ａ）のＶｃ−Ｖｃ線における導光板８の光学構造８１を示す断面図である。図５の（ｄ）は、図５の（ａ）のＶｄ−Ｖｄ線における導光板８の光学構造８１を示す断面図である。
【００１６】
図１では、照明装置１において、光学構造８１の長手方向をＸ軸方向と規定し、Ｘ軸方向と直交し、かつ、導光板８と平行な方向をＹ軸方向と規定し、Ｘ軸方向及びＹ軸方向と交差する方向をＺ軸方向と規定する。そして、図２以降の各図に示す各方向は、図１に示す各方向に対応させて表示する。
【００１７】
図１に示すように、照明装置１は、エッジライト方式の導光板８を用いたダウンライトであり、天井および壁などの造営材に埋め込んで配設されている。また、照明装置１は、ダウンライトに限定されず、スポットライト、ペンダントライト等であってもよい。照明装置１は、例えば、住宅、事務所、倉庫等の造営材に取り付けられる。
【００１８】
図１〜図３に示すように、照明装置１は、第１ケース３と、第２ケース５と、制御回路６と、電源部７と、反射板９と、導光板８と、複数の第１発光モジュール１１と、複数の第２発光モジュール１３と、保持部材１０と、固定枠１５と、パッキン１７と、取付用金具１９とを備える。なお、反射板９は反射シートであっても良い。
【００１９】
第１ケース３は、有底の筒状をなすＺ軸方向に扁平な筐体であり、Ｚ軸プラス方向側で開いている。第２ケース５は、有底の筒状をなすＺ軸方向に扁平な筐体であり、Ｚ軸マイナス方向側で開いている。第１ケース３のＺ軸プラス方向側では、第２ケース５が被さり、嵌め合わされた状態で固定されている。第１ケース３に第２ケース５を固定する方法は、ネジ、ボルト等の固定部材等により実現する。
【００２０】
第１ケース３の底壁には、貫通孔３ａが複数形成されている。複数の貫通孔３ａのうちの少なくとも一部は、反射板９と係合する。第１ケース３の底壁は、第１ケース３のＺ軸マイナス方向側の壁部である。
【００２１】
第２ケース５は、制御回路６を収容している。第２ケース５の底壁には、制御回路６が固定されている。第２ケース５の底壁は、第２ケース５のＺ軸プラス方向側の壁部である。第２ケース５の底壁におけるＺ軸プラス方向側の面には、電源部７が固定されている。
【００２２】
制御回路６は、電源部７から複数の第１発光モジュール１１及び複数の第２発光モジュール１３へ出力される直流電力を調整するための電子回路を有している。制御回路６は、リモコン等の制御信号に従って、第１発光モジュール１１及び第２発光モジュール１３の点灯、消灯、調光、調色等の動作を制御する。制御回路６は、例えば、電源部７を制御して第１発光モジュール１１の明るさを大きくするととともに、電源部７を制御して第２発光モジュール１３の明るさを小さくするといった、第１発光モジュール１１及び第２発光モジュール１３の発光を制御する。制御回路６は、第１発光モジュール１１及び第２発光モジュール１３等を制御するための回路等から構成されている。制御回路６は、入力された信号に応じて第１発光モジュール１１及び第２発光モジュール１３に供給する電流値等を制御するマイクロコンピュータ、プロセッサなど、または専用回路によってこれらの動作を実現する。
【００２３】
電源部７は、金属製の箱型に形成され、その内部に点灯回路等の回路部品が実装された基板を収納している。電源部７には、商用交流電源からの電源ケーブルが接続されて、商用交流電源が点灯回路に供給される。
【００２４】
反射板９は、導光板８を導光した光を反射する部材であり、例えば、ポリブチレンテレフタレート（ＰＢＴ）など硬質の白色樹脂材料を用いている。反射板９は、光を導光板８に向けて反射させる。反射板９は、六角形状の平板状である。
【００２５】
反射板９は、鏡面部９ａと、複数の係合部９ｂを有する。鏡面部９ａは、Ｚ軸マイナス方向側の面が鏡面であり、導光板８のＺ軸プラス方向側の面に配置される。鏡面部９ａは、六角形状の平板状である。係合部９ｂは、鏡面部９ａの外周端縁からＺ軸プラス方向側に向かって立ち上がる立壁である。各々の係合部９ｂは、第１発光モジュール１１及び第２発光モジュール１３に係合され、反射板９の回動が規制される。
【００２６】
導光板８は、平面視で、偶数の多角形状であり、第１発光モジュール１１及び第２発光モジュール１３が出射した光が導光する光学部材である。導光板８は、アクリル、ポリカーボネート等の樹脂又はガラス等の透光性の部材であるが、透光性があればその他どのような材料で形成されてもよい。本実施の形態では、導光板８は、六角形状であるが、例えば四角形状等の偶数の多角形状に限らず、円形状等でもよく、他の形状でもよい。
【００２７】
導光板８は、反射板９の鏡面部９ａと密着するように、鏡面部９ａのＺ軸マイナス方向側の面に配置されていてもよい。導光板８は、入射面８ａと、光拡散面８ｂと、出射面８ｃとを有する。
【００２８】
図３〜図５に示すように、入射面８ａは、第１発光モジュール１１及び第２発光モジュール１３が出射した光が入射する面であり、導光板８の外周側面である。入射面８ａは、光拡散面８ｂ及び出射面８ｃと交差する。入射面８ａは、第１発光モジュール１１及び第２発光モジュール１３が出射する光が入射するように、第１発光モジュール１１の光軸及び第２発光モジュール１３の光軸と略垂直に配置されていてもよい。本実施の形態では、導光板８は、六角形状であるため、六つの入射面８ａを有する。入射面８ａは、導光板８が多角形状の場合は略均一な平面である。なお、入射面８ａは、例えば、導光板８が円形状の場合は湾曲した曲面となる。
【００２９】
光拡散面８ｂは、導光する光が拡散される面であり、導光板８のＺ軸プラス方向側の面である。光拡散面８ｂは、反射板９の鏡面部９ａに密着した状態であってもよい。光拡散面８ｂには、凸状又は凹状の光学構造８１が複数形成されている。
【００３０】
光学構造８１は、Ｘ軸方向と略平行な長尺状である。光学構造８１は、導光板８をＺ軸プラス方向側から見た場合に、光学構造８１の長手方向が第１発光モジュール１１の光軸と略直交する。光学構造８１におけるＹ軸方向の幅は、光学構造８１の高さ又は深さよりも大きい。光学構造８１におけるＹ軸方向は、短手方向の一例である。
【００３１】
複数の光学構造８１は、光拡散面８ｂに規則的に配置されている。具体的には、光学構造８１は、マトリクス状、千鳥格子状等のように規則的に配置されている。つまり、光学構造８１がランダムに配置されていない。なお、配置の規則性については、マトリクス状、千鳥格子状等に限定されない。本実施の形態では、複数の光学構造８１は、光学構造８１の長手方向が略平行となるように、マトリクス状に配置されている。
【００３２】
光学構造８１は、長尺状であり、Ｙ軸方向の断面で略二等辺三角形となる多面体構造である。本実施の形態では、光学構造８１は、第１発光モジュール１１の光軸と略平行な断面の断面形状が略二等辺三角形状であり、この断面に対して鉛直なＸ軸方向に沿って直線的に光拡散面１０８ｂの一部を切り欠いた凹状を形成している。つまり、光学構造８１は、三角柱状の凹状である。なお、光学構造８１は、導光板８の光拡散面８ｂを凹ませた凹状に限らず、導光板８の光拡散面８ｂからＺ軸プラス方向側に突出する凸状に形成されていてもよい。
【００３３】
光学構造８１におけるＸ軸方向の長さは、約０．５ｍｍから５ｍｍである。特に、約１ｍｍから３ｍｍであることが好ましい。
【００３４】
光学構造８１は、例えば、ダイヤモンドバイト等の掘削器具を用いて形成してもよく、金型を用いて形成してもよく、製造方法については特に限定されない。
【００３５】
図４及び図５に示すように、光学構造８１は、Ｘ軸方向に長尺であり、光を反射する一対の第１反射面８２ａと、一対の第１反射面８２ａの両端に面し、光を反射する一対の第２反射面８２ｂとを有する。
【００３６】
第１反射面８２ａは、導光板８の入射面８ａから入射した第１発光モジュール１１及び第２発光モジュール１３からの光を出射面８ｃに向けて反射するように傾斜している。光学構造８１は、光拡散面８ｂの鉛直方向から見た場合に、第２反射面８２ｂの両端を結ぶ直線と、第１発光モジュール１１の光軸とが、略直交するように光拡散面８ｂに形成されている。これにより、第１発光モジュール１１から入射した光が光学構造８１の第１反射面８２ａによって出射面８ｃへ向けて反射される。
【００３７】
図３〜図５に示すように、出射面８ｃは、光拡散面８ｂの反対側の面であり、導光した光が出射する面である。つまり、出射面８ｃは、導光板８における、入射面８ａと略直交するＺ軸マイナス方向側の面である。出射面８ｃにおける外周端縁側は、保持部材１０の後述するリング部１０ａと当接している。
【００３８】
図２及び図３に示すように、保持部材１０は、導光板８を所定位置に保持する部材であり、導光板８を収容可能である。具体的には、保持部材１０は、導光板８の光拡散面８ｂを反射板９の鏡面部９ａに当接させるように、導光板８を保持する。保持部材１０は、導光板８の形状と対応するように、導光板８と同等の形状である。つまり、保持部材１０は、多角形状、円形状等でもよく、他の形状でもよい。本実施の形態では、保持部材１０は、平面視で六角形状である。保持部材１０は、金属製、樹脂製等の部材で構成されている。また、保持部材１０は、複数の第１発光モジュール１１及び複数の第２発光モジュール１３を所定位置に保持する部材である。
【００３９】
保持部材１０は、リング部１０ａと、複数の係合保持部１０ｂとを有する。リング部１０ａは、平板の環状であり、導光板８における出射面８ｃの外周端縁と当接している。リング部１０ａは、出射面８ｃから出射する光を極力妨げないように構成されている。本実施の形態では、リング部１０ａは、平面視で六角形状である。リング部１０ａでは、導光板８から出射した光が、リング部１０ａの開口を通過する。
【００４０】
係合保持部１０ｂは、リング部１０ａの外周端縁からＺ軸プラス方向に向かって立ち上がる立壁である。係合保持部１０ｂは、導光板８の角部においてＺ軸方向に沿うように、導光板８の入射面８ａと当接している。本実施の形態では、６つの係合保持部１０ｂが形成され、導光板８における６つの角部に一対一で対応している。つまり、各々の係合保持部１０ｂは、導光板８における各々の角部を保持することで、導光板８の回動、移動を抑制している。こうして、導光板８は、保持部材１０によって、反射板９からの離間、第１発光モジュール１１及び第２発光モジュール１３に対する回動等が抑制される。
【００４１】
複数の第１発光モジュール１１及び複数の第２発光モジュール１３は、導光板８の周囲を囲むように、導光板８の外周側に配置され、照明装置１の出射光となる光を出射する。複数の第１発光モジュール１１及び複数の第２発光モジュール１３は、保持部材１０により、導光板８の入射面８ａに光を入射させるように、各々の入射面８ａに対向配置されている。第１発光モジュール１１又は第２発光モジュール１３は、各々の入射面８ａに一対一で対応するように、入射面８ａに対向配置されている。
【００４２】
複数の第１発光モジュール１１及び複数の第２発光モジュール１３のそれぞれは、給電部１４を有する。各々の給電部１４は、第１ケース３の各々の貫通孔３ａに一対一で対応している。各々の給電部１４を各々の貫通孔３ａを挿通し、制御回路６に電気的に接続されている。
【００４３】
本実施の形態では、導光板８の外周には２つの第１発光モジュール１１が設けられている。一方の第１発光モジュール１１は、他方の第１発光モジュール１１と導光板８を介して対向配置されている。つまり、一対の第１発光モジュール１１は、照明装置１の光軸に対して線対称に配置されている。ここでいう照明装置１の光軸は、導光板８の出射面８ｃに対する法線方向である。
【００４４】
また、本実施の形態では、４つの第２発光モジュール１３が設けられている。つまり、残りの４つの入射面８ａについては、第２発光モジュール１３が一対一で対応するように、各々の入射面８ａに対向配置されている。この第２発光モジュール１３においても、一方の第２発光モジュール１３は、他方の第２発光モジュール１３と導光板８を介して対向配置されている。つまり、一対の第２発光モジュール１３は、照明装置１の光軸に対して線対称に配置されている。
【００４５】
この照明装置１において、第２発光モジュール１３は、第１発光モジュール１１と異なる場所に配置されている。また、第１発光モジュール１１の両隣には、第２発光モジュール１３が存在するように、複数の第１発光モジュール１１及び複数の第２発光モジュール１３が導光板８の周囲に配置される。
【００４６】
本実施の形態では、第１発光モジュール１１及び第２発光モジュール１３は、ＬＥＤ（Ｌｉｇｈｔ  Ｅｍｉｔｔｉｎｇ  Ｄｉｏｄｅ）を有するモジュールであって、所定の光を放射状に出射するＬＥＤ光源を有する。
【００４７】
第１発光モジュール１１は、基台１１ａと、基台１１ａ上に実装された複数の第１光源１１ｂとを有する。第２発光モジュール１３は、基台１３ａと、基台１３ａ上に実装された複数の第２光源１３ｂとを有する。第１光源１１ｂ及び第２光源１３ｂの各々は、発光するＬＥＤ素子と、ＬＥＤ素子を封止し、蛍光体を含む封止部材とを有している。なお、封止部材は、全ての光源を一括封止していてもよく、ライン状に配列された光源の配列方向に沿って複数本のライン状に封止部材を形成する構成としてもよい。第１光源１１ｂ及び第２光源１３ｂの各々は、例えば白色光を出射するように構成されている。
【００４８】
基台１１ａ、１３ａは、複数の第１光源１１ｂ及び複数の第２光源１３ｂの各々を実装するための実装基板であって、例えばセラミックス基板、樹脂基板又は絶縁被覆されたメタルベース基板などである。また、基台１１ａ、１３ａは、例えば正面視において矩形である平面を有する板状であり、保持部材１０に取り付けられることによって固定される。なお、図示しないが、基台１１ａ、１３ａには、第１光源１１ｂ及び第２光源１３ｂを発光させるための直流電力を外部から受電するための給電部１４が形成されている。給電部１４は、正電極端子及び負電極端子である。
【００４９】
第１光源１１ｂは、一列で等間隔に並ぶように基台１１ａに実装されている。また、第２光源１３ｂは、一列で等間隔に並ぶように基台１３ａに実装されている。なお、第１光源１１ｂ及び第２光源１３ｂは、二列以上が基台１１ａ、１３ａに並んでいてもよい。
【００５０】
第１光源１１ｂ及び第２光源１３ｂは、導光板８の周囲に複数設けられている。一方の第１発光モジュール１１における各々の第１光源１１ｂは、一方の第１発光モジュール１１における各々の第１光源１１ｂと導光板８を介して対向配置されている。また、一方の第２発光モジュール１３における各々の第２光源１３ｂは、一方の第２発光モジュール１３における各々の第２光源１３ｂと導光板８を介して対向配置されている。
【００５１】
第１光源１１ｂ及び第２光源１３ｂは、導光板８の入射面８ａに光を照射する。つまり、第１光源１１ｂ及び第２光源１３ｂは、各々の光軸Ｊが入射面８ａに向くように、略等間隔に配置されている。具体的には、第１光源１１ｂ及び第２光源１３ｂは、各々の光軸Ｊが導光板８の入射面８ａに略直交するように、入射面８ａと対向配置されている。つまり、第１光源１１ｂ及び第２光源１３ｂの出射方向には、導光板８が配置されている。第１光源１１ｂの光軸Ｊは第１発光モジュール１１の光軸と同義であり、第２光源１３ｂの光軸Ｊは第２発光モジュール１３の光軸と同義である。
【００５２】
第１光源１１ｂ及び第２光源１３ｂの少なくとも一方は、入射面８ａを介して第１反射面８２ａと対向配置されている。本実施の形態では、第１光源１１ｂが入射面８ａを介して第１反射面８２ａと対向配置されている。具体的には、第１光源１１ｂ、第２光源１３ｂ及び導光板８を平面視した場合に、第１光源１１ｂは、第１光源１１ｂの光軸Ｊが第１反射面８２ａに対して略直交状態となるように配置され、第２光源１３ｂは、第２光源１３ｂの光軸Ｊが第１反射面８２ａに対して傾斜状態となるように配置される。なお、第１光源１１ｂ、第２光源１３ｂ及び導光板８を平面視した場合に、第１光源１１ｂは、第１光源１１ｂの光軸Ｊが第１反射面８２ａに対して傾斜状態となるように配置され、第２光源１３ｂは、第２光源１３ｂの光軸Ｊが第１反射面８２ａに対して略直交状態となるように配置されていてもよい。また、第１光源１１ｂは、第２反射面８２ｂと対向配置されていてもよい。
【００５３】
また、第１光源１１ｂ及び第２光源１３ｂと導光板８との間には、第１光源１１ｂ及び第２光源１３ｂと導光板８とが接触しないように隙間が空けられている。これは、第１光源１１ｂ及び第２光源１３ｂの熱が導光板８に伝導して、導光板８に損傷を与えることを防ぐためである。
【００５４】
第１光源１１ｂの点灯時における光量と、第２光源１３ｂの点灯時における光量とは、実質的に同一である。また、第１光源１１ｂと第２光源１３ｂとは同一の光源であってもよい。
【００５５】
第１光源１１ｂ及び第２光源１３ｂは、いわゆるＳＭＤ（Ｓｕｒｆａｃｅ  Ｍｏｕｎｔ  Ｄｅｖｉｃｅ）型のＬＥＤ素子であってもよい。ＳＭＤ型のＬＥＤ素子とは、具体的には、樹脂成型されたキャビティの中にＬＥＤチップ（発光素子）が実装され、キャビティ内に蛍光体含有樹脂が封入されたパッケージ型のＬＥＤ素子である。第１光源１１ｂ及び第２光源１３ｂは、制御回路６により制御されて調光調色が行われる。例えば、青色ＬＥＤチップと黄色蛍光体含有樹脂との組み合わせにより白色光を放出する表面実装型ＬＥＤ素子が、第１光源１１ｂ及び第２光源１３ｂとして採用される。
【００５６】
なお、第１光源１１ｂ及び第２光源１３ｂは、このような構成に限定されるものではなく、第１光源１１ｂ及び第２光源１３ｂの各々の基台１１ａ、１３ａ上に、ＬＥＤチップが直接的に実装されたＣＯＢ（Ｃｈｉｐ  Ｏｎ  Ｂｏａｒｄ）型の発光モジュールが用いられてもよい。また、第１光源１１ｂ及び第２光源１３ｂが有する発光素子は、ＬＥＤに限定されるものではなく、例えば、半導体レーザ等の半導体発光素子、または、有機ＥＬ（Ｅｌｅｃｔｒｏ  Ｌｕｍｉｎｅｓｃｅｎｃｅ）や無機ＥＬ等のＥＬ素子等その他の固体発光素子であってもよい。
【００５７】
固定枠１５は、挿通孔を有し、造営材に形成された取付穴に固定される環状の部材である。固定枠１５は、造営材に照明装置１を取付けた際に、取付穴と照明装置１との隙間を覆うカバーである。固定枠１５は、ネジによって第１ケース３に固定されている。固定枠１５は、造営材の取付穴の内周に沿って配置され、取付用金具１９によって取付穴に固定される。固定枠１５は、造営材と当接する鍔状部を有する。鍔状部は、固定枠１５から外側向きに突出する円環状の部分である。固定枠１５では、導光板８から出射した光が、固定枠１５の開口を通過する。
【００５８】
固定枠１５を形成する材料は、特に限定されない。本実施の形態では、固定枠１５は、例えば、アルミニウムなどの導電性部材で形成される。
【００５９】
パッキン１７は、固定枠１５が造営材のＺ軸マイナス方向側の面に配置された場合に、固定枠１５の鍔状部と造営材との間をシールする環状のシール部材の一例である。パッキン１７の径は、取付穴の径より大きく、固定枠１５の外径より小さい。パッキン１７は、固定枠１５と造営材との間を埋めるように、固定枠１５の周方向に沿って設けられている。パッキン１７は、例えばネジの締結力により、全周にわたって鍔状部と造営材との間をシールする。また、この締結力によりパッキン１７が造営材と接触するため、固定枠１５の回動範囲を規制する。
【００６０】
パッキン１７は、水分透過率の低い材料から形成される。パッキン１７の材料としては、例えば、ブチルゴムなどの樹脂材料を用いることができる。
【００６１】
取付用金具１９は、固定枠１５を造営材に形成された取付穴に固定する弾性部材である。取付用金具１９は、例えば板バネであるが、板バネに限定されず、ネジ、接着剤等の固定部材によって固定されてもよく、その方法は公知の方法を用いることができる。本実施の形態では、二つの板バネによって、固定枠１５が取付穴に固定される。板バネは、湾曲形状部を有する。照明装置１は、当該湾曲形状部と固定枠１５の鍔状部との間で造営材を挟持することによって、造営材に固定される。
【００６２】
取付用金具１９を形成する材料は、弾性部材であれば特に限定されない。取付用金具１９は、例えば鋼材、アルミニウムなどの導電性部材で形成される。また、取付用金具１９の湾曲形状部は、例えば金型に板状部材を押し当てることによって形成できる。
【００６３】
このような照明装置１では、第１光源１１ｂ及び第２光源１３ｂより出射した光は、導光板８の入射面８ａから光が入射して、導光板８内を導光する。
【００６４】
第１光源１１ｂ及び第２光源１３ｂを選択的に点灯させた場合を、図６を用いて説明する。図６は、実施の形態１に係る照明装置１の第１発光モジュール１１及び第２発光モジュール１３を選択的に点灯させた場合のイメージ図である。図６の（ａ）は、照明装置１の第１発光モジュール１１を点灯させた場合のイメージ図である。図６の（ｂ）は、照明装置１の第２発光モジュール１３を点灯させた場合のイメージ図である。図６の（ｃ）は、照明装置１の第１発光モジュール１１及び第２発光モジュール１３を点灯させた場合のイメージ図である。
【００６５】
図６の（ａ）に示すように、第１光源１１ｂから出射した光は、第１光源１１ｂ、第２光源１３ｂ及び導光板８を平面視した場合に、光拡散面８ｂの光学構造８１の第１反射面８２ａに略直交した状態で入射する。この光は、第１反射面８２ａで反射して出射面８ｃに入射して出射面８ｃから直下に出射する。このため、導光板８は、第１光源１１ｂが点灯する場合に、狭域の第１配光角の光を出射面８ｃから出射する。第１配光角は、１／２ビーム角である。
【００６６】
また、図６の（ｂ）に示すように、第２光源１３ｂから出射した光は、第１光源１１ｂ、第２光源１３ｂ及び導光板８を平面視した場合に、光拡散面８ｂの光学構造８１の第１反射面８２ａに傾斜した状態で入射する。この光は、第１反射面８２ａで反射して出射面８ｃに入射して出射面８ｃから直下とその周辺に出射する。このため、導光板８は、第２光源１３ｂが点灯する場合に、第１配光角よりも大きい広域の第２配光角の光を出射面８ｃから出射する。第２配光角は、１／２ビーム角である。
【００６７】
また、図６の（ｃ）に示すように、第１光源１１ｂ及び第２光源１３ｂの両方が点灯した場合に、第２光源１３ｂにより広域を照明することができ、かつ、第１光源１１ｂにより照射される狭域をより明るく照明することができる。
【００６８】
このように、この照明装置１では、第１光源１１ｂ及び第２光源１３ｂの点灯を選択的に変えるだけで、狭域を照明したり、広域を照明したりすることができる。
【００６９】
［解析結果］
次に、導光板８による配光についてのシミュレーション解析の結果について説明する。
【００７０】
図７は、シミュレーション解析で用いる光学構造８５を示す斜視図である。図８は、図７の光学構造８５を用いた場合の配光曲線を示す図である。図９は、図７の光学構造８５を用いた導光板８の配光曲線を示す図である。図１０は、図７の光学構造８５を用いた場合の配光曲線を示す図である。図１１は、図７の光学構造８５を用いた場合の配光曲線を示す図である。
【００７１】
この解析では、本実施の形態に係る光学構造８１の代わりに、図７に示す光学構造８５を形成した導光板８を用いた。光学構造８５は、第１発光モジュール１１の光軸と略平行な断面の断面形状が台形形状であり、この断面に対して鉛直なＸ軸方向に沿って直線的に光拡散面８ｂの一部を切り欠いた凹状を形成している。光学構造８５は、略四角柱状の凹状であり、導光板８をＺ軸プラス方向側から見て、その長手方向が第１光源１１ｂの光軸Ｊと略直交する。
【００７２】
この解析では、他の点について本実施の形態に係る図４と同様の条件であり、特に記載した場合を除き、同一の条件についてはその説明を省略する。
【００７３】
まず、以下のシミュレーション解析を行った。
【００７４】
このシミュレーション解析では、平面視した導光板８の形状を六角形状とし、導光板８の大きさを８０×６０ｃｍとし、光学構造８５が形成されている導光板８の光拡散面８ｂの面積を５７．５×５７．５ｍｍとし、第１発光モジュール１１及び第２発光モジュール１３のそれぞれの大きさを２０×２．６ｍｍとした。また、このシミュレーション解析では、導光板８を介して対向配置された一対の第１発光モジュール１１と、導光板８を介して対向配置された一対の第２発光モジュール１３とを用いて、導光板８に光を入射させた。つまり、このシミュレーション解析では、導光板８における６つの入射面８ａにおいて、２つの入射面８ａに第２発光モジュール１３を対向配置せずに、２つの第１発光モジュール１１と、２つの第２発光モジュール１３とを用いた。
【００７５】
図８の（ａ）は、第１光源１１ｂを点灯させた場合における配光曲線を示す図である。実線はＸ軸方向とＺ軸方向とで規定される平面を見た場合の配光曲線を示し、破線はＹ軸方向とＺ軸方向とで規定される平面を見た場合の配光曲線である。この場合においては、１／２ビーム角が２７．５°となった。ここでいう１／２ビーム角は、第１配光角である。
【００７６】
図８の（ｂ）は、第２光源１３ｂを点灯させた場合における配光曲線を示す図である。実線はＸ軸方向とＺ軸方向とで規定される平面を見た場合の配光曲線を示し、破線はＹ軸方向とＺ軸方向とで規定される平面を見た場合の配光曲線である。この場合においては、１／２ビーム角が８４．７°となった。ここでいう１／２ビーム角は、第２配光角である。
【００７７】
次に、以下のシミュレーション解析を行った。
【００７８】
このシミュレーション解析では、平面視した導光板８の形状を六角形状とし、導光板８の大きさを８０×６０ｃｍとし、光学構造８５が形成されている導光板８の光拡散面８ｂの面積を４０×４０ｍｍとし、第１発光モジュール１１及び第２発光モジュール１３のそれぞれの大きさを２０×２．６ｍｍとした。また、このシミュレーション解析でも、導光板８を介して対向配置された一対の第１発光モジュール１１と、導光板８を介して対向配置された一対の第２発光モジュール１３とを用いて、導光板８に光を入射させた。つまり、このシミュレーション解析でも、導光板８における６つの入射面８ａにおいて、２つの入射面８ａに第２発光モジュール１３を対向配置せずに、２つの第１発光モジュール１１と、２つの第２発光モジュール１３とを用いた。
【００７９】
図９の（ａ）は、第１光源１１ｂを点灯させた場合における配光曲線を示す図である。実線はＸ軸方向とＺ軸方向とで規定される平面を見た場合の配光曲線を示し、破線はＹ軸方向とＺ軸方向とで規定される平面を見た場合の配光曲線である。この場合においては、１／２ビーム角が２５．９°となった。
【００８０】
図９の（ｂ）は、第２光源１３ｂを点灯させた場合における配光曲線を示す図である。実線はＸ軸方向とＺ軸方向とで規定される平面を見た場合の配光曲線を示し、破線はＹ軸方向とＺ軸方向とで規定される平面を見た場合の配光曲線である。この場合においては、１／２ビーム角が９１．３°となった。
【００８１】
これらの結果から、第１光源１１ｂが点灯した場合では１／２ビーム角が小さく、第２光源１３ｂが点灯した場合では１／２ビーム角が大きくなっていることが判る。つまり、この照明装置１では、第２光源１３ｂが点灯した場合よりも、第１光源１１ｂが点灯した場合の方が、配光角が小さい。一方、この照明装置１では、第１光源１１ｂが点灯した場合よりも、第２光源１３ｂが点灯した場合の方が、配光角が大きい。このため、この照明装置１では、第１光源１１ｂと第２光源１３ｂとを選択的に点灯させることで、配光制御を行うことができている。
【００８２】
次に、以下のシミュレーション解析を行った。
【００８３】
このシミュレーション解析では、平面視した導光板８の形状を八角形状とし、導光板８の大きさを８０×６０ｃｍとし、光学構造８５が形成されている導光板８の光拡散面８ｂの面積を５７．５×５７．５ｍｍとし、第１発光モジュール１１及び第２発光モジュール１３のそれぞれの大きさを２０×２．６ｍｍとした。また、このシミュレーション解析では、導光板８を介して対向配置された一対の第１発光モジュール１１と、導光板８を介して対向配置された二対の第２発光モジュール１３とを用いて、導光板８に光を入射させた。つまり、このシミュレーション解析では、導光板８における８つの入射面８ａにおいて、２つの入射面８ａに第２発光モジュール１３を対向配置せずに、２つの第１発光モジュール１１と、４つの第２発光モジュール１３とを用い、第１発光モジュール１１の両側に第２発光モジュール１３を配置した。
【００８４】
図１０の（ａ）は、第１光源１１ｂを点灯させた場合における配光曲線を示す図である。実線はＸ軸方向とＺ軸方向とで規定される平面を見た場合の配光曲線を示し、破線はＹ軸方向とＺ軸方向とで規定される平面を見た場合の配光曲線である。この場合においては、１／２ビーム角が２９．０°となった。
【００８５】
図１０の（ｂ）は、第２光源１３ｂを点灯させた場合における配光曲線を示す図である。実線はＸ軸方向とＺ軸方向とで規定される平面を見た場合の配光曲線を示し、破線はＹ軸方向とＺ軸方向とで規定される平面を見た場合の配光曲線である。この場合においては、１／２ビーム角が７１．７°となった。
【００８６】
次に、以下のシミュレーション解析を行った。
【００８７】
このシミュレーション解析では、平面視した導光板８の形状を八角形状とし、導光板８の大きさを８０×６０ｃｍとし、光学構造８５が形成されている導光板８の光拡散面８ｂの面積を４０×４０ｍｍとし、第１発光モジュール１１及び第２発光モジュール１３のそれぞれの大きさを２０×２．６ｍｍとした。また、このシミュレーション解析では、導光板８を介して対向配置された一対の第１発光モジュール１１と、導光板８を介して対向配置された一対の第２発光モジュール１３とを用いて、導光板８に光を入射させた。つまり、このシミュレーション解析では、導光板８における８つの入射面８ａにおいて、４つの入射面８ａに第２発光モジュール１３を対向配置せずに、２つの第１発光モジュール１１と、２つの第２発光モジュール１３とを用いた。
【００８８】
図１１の（ａ）は、第１光源１１ｂを点灯させた場合における配光曲線を示す図である。この場合においては、１／２ビーム角が３０．１°となった。図１１の（ｂ）は、第２光源１３ｂを点灯させた場合における配光曲線を示す図である。図１１の（ａ）及び図１１の（ｂ）において、実線はＸ軸方向とＺ軸方向とで規定される平面を見た場合の配光曲線を示し、破線はＹ軸方向とＺ軸方向とで規定される平面を見た場合の配光曲線である。この場合においては、１／２ビーム角が７０．９°となった。
【００８９】
次に、以下のシミュレーション解析を行った。
【００９０】
このシミュレーション解析では、平面視した導光板８の形状を四角形状とし、導光板８の大きさを５６４×５６４ｃｍとし、光学構造８５が形成されている導光板８の光拡散面８ｂの面積を５６０×５６０ｍｍとし、第１発光モジュール１１及び第２発光モジュール１３のそれぞれの大きさを５３８×２．６ｍｍとした。また、このシミュレーション解析では、導光板８を介して対向配置された一対の第１発光モジュール１１と、導光板８を介して対向配置された一対の第２発光モジュール１３とを用いて、導光板８に光を入射させた。つまり、このシミュレーション解析では、２つの第１発光モジュール１１と、２つの第２発光モジュール１３とを用いた。
【００９１】
図１１の（ｃ）は、第１光源１１ｂを点灯させた場合における配光曲線を示す図である。この場合においては、１／２ビーム角が３０．１°となった。図１１の（ｄ）は、第２光源１３ｂを点灯させた場合における配光曲線を示す図である。図１１の（ｃ）及び図１１の（ｄ）において、実線はＸ軸方向とＺ軸方向とで規定される平面を見た場合の配光曲線を示し、破線はＹ軸方向とＺ軸方向とで規定される平面を見た場合の配光曲線である。この場合においては、１／２ビーム角が７０．９°となった。
【００９２】
［作用効果］
次に、本実施の形態における照明装置１の作用効果について説明する。
【００９３】
上述したように、本実施の形態に係る照明装置１は、第１光源１１ｂと、第１光源１１ｂと異なる場所に配置された第２光源１３ｂと、光が入射する入射面８ａと、入射面８ａと交差しており、光が拡散される光拡散面８ｂと、光拡散面８ｂの反対側の面であり、光が出射する出射面８ｃとを有する導光板８とを備える。また、光拡散面８ｂには、光を反射する第１反射面８２ａを有し、凸状又は凹状である複数の光学構造８１が形成される。さらに、第１光源１１ｂ及び第２光源１３ｂの少なくとも一方は、入射面８ａを介して第１反射面８２ａと対向配置される。そして、導光板８は、第１光源１１ｂが点灯する場合に、第１配光角の光を出射面８ｃから出射し、第２光源１３ｂが点灯する場合に、第１配光角よりも大きい第２配光角の光を出射面８ｃから出射する。
【００９４】
これによれば、複数の第１光源１１ｂ及び複数の第２光源１３ｂの少なくとも１つは、第１光源１１ｂの光軸Ｊ及び第２光源１３ｂの光軸Ｊ上に光拡散面８ｂの第１反射面８２ａが対向配置される。つまり、この照明装置１では、複数の第１光源１１ｂ及び複数の第２光源１３ｂが、凸状又は凹状の複数の光学構造８１が形成された導光板８の周囲に配置される構成であるため、構造が簡易である。
【００９５】
また、このような構成の照明装置１では、第１光源１１ｂが点灯する場合では、第１光源１１ｂの光が光学構造８１で反射されて出射面８ｃに向かい、出射面８ｃから第１配光角の光を出射面８ｃから出射し、狭域を照明する。また、第２光源１３ｂが点灯する場合では、第２光源１３ｂの光が光学構造８１で反射されて出射面８ｃに向かい、出射面８ｃから第２配光角の光を出射面８ｃから出射し、広域を照明する。このため、第１光源１１ｂ及び第２光源１３ｂを選択的に点灯させることで、照明装置１から出射する光を配光制御することができる。
【００９６】
したがって、この照明装置１では、簡易な構成で配光制御を行うことができる。
【００９７】
特に、このような照明装置１では、第１光源１１ｂ又は第２光源１３ｂに点灯状態を切り替えることで、使用者が存在する空間において、広域照明と狭域照明を行うことができ、その結果として、照明快適性を高めることができる。また、広域照明と狭域照明の切り替え時においても、導光板８の出射面８ｃ全体が発光している状態となるので、照明装置１を取り付けた造営材の雰囲気を大幅に変えることなく、この点においても照明環境の快適性を高めることができる。
【００９８】
また、本実施の形態に係る照明装置１において、光学構造８１は、長尺状であり、Ｙ軸方向の断面で略二等辺三角形となる多面体構造である。
【００９９】
これによれば、光学構造８１がＹ軸方向の断面で略二等辺三角形となる多面体構造であるため、光学構造８１の第１反射面８２ａは、第１光源１１ｂ及び第２光源１３ｂが出射した光を出射面８ｃに向けて反射することができる。例えば、光学構造８１の傾斜角、形状等を適宜変更するだけで、第１配光角及び第２配光角を調節することができるため、この導光板８を照明装置１に用いれば、所望の配光制御を行うことができる。
【０１００】
また、本実施の形態に係る照明装置１において、第１光源１１ｂ、第２光源１３ｂ及び導光板８を平面視した場合に、第１光源１１ｂは、第１光源１１ｂの光軸Ｊが第１反射面８２ａに対して略直交状態となるように配置され、第２光源１３ｂは、第２光源１３ｂの光軸Ｊが第１反射面８２ａに対して傾斜状態となるように配置される。
【０１０１】
これによれば、第１光源１１ｂ、第２光源１３ｂ及び導光板８を平面視した場合に、第１光源１１ｂの光軸Ｊが光学構造８１に対して略直交状態となるように、第１光源１１ｂが導光板８の外周側に配置されているため、第１光源１１ｂが出射した光が導光板８を導光し、光学構造８１の第１反射面８２ａで反射して略Ｚ軸マイナス方向に向かう。このため、第１光源１１ｂが点灯した場合では、導光板８の出射面８ｃから略Ｚ軸マイナス方向に向かう、第１配光角の光が出射される。
【０１０２】
一方、第２光源１３ｂの光軸Ｊが光学構造８１に対して傾斜状態となるように、第２光源１３ｂが導光板８の外周側に配置されているため、第２光源１３ｂが出射した光が導光板８を導光し、光学構造８１の第１反射面８２ａ又は第２反射面８２ｂで反射してＺ軸マイナス方向からＸ軸方向又はＹ軸方向に傾斜した方向に向かう。このため、第２光源１３ｂが点灯した場合では、第１配光角よりも大きな第２配光角の光が導光板８の出射面８ｃから出射される。
【０１０３】
このため、この照明装置１では、第１光源１１ｂ及び第２光源１３ｂを選択的に点灯させることで配光制御を行うことができる。
【０１０４】
また、本実施の形態に係る照明装置１において、導光板８は、平面視で、偶数の略多角形状をなしている。また、第１光源１１ｂは、導光板８の周囲に複数設けられ、導光板８を介して対向配置される。そして、第２光源１３ｂは、導光板８の周囲に複数設けられ、導光板８を介して対向配置される。
【０１０５】
これによれば、本実施の形態のように、２つの第１光源１１ｂと４つの第２光源１３ｂとが導光板８の周囲に配置され、第１光源１１ｂの両側に第２光源１３ｂが配置されている。つまり、第１光源１１ｂが点灯する場合に出射面８ｃから出射する光の配光角は、第２光源１３ｂが点灯する場合に出射面８ｃから出射する光の配光角よりも小さいため、狭域を照明する第１光源１１ｂよりも広域を照明する第２光源１３ｂの数を多く配置する。このため、第１光源１１ｂが点灯する場合に周囲を照明する明るさと、第２光源１３ｂが点灯する場合に周囲を照明する明るさとを同等にすることができる。言い換えれば、第１光源１１ｂ又は第２光源１３ｂが点灯した場合において、照明装置１が出射する光の明るさに、大きな差が生じ難い。
【０１０６】
また、本実施の形態に係る照明装置１において、第１光源１１ｂの点灯時における光量と、第２光源１３ｂの点灯時における光量とは、実質的に同一である。
【０１０７】
第１光源１１ｂの出力と第２光源１３ｂの出力とが異なれば、第１光源１１ｂ及び第２光源１３ｂに電力を供給する電源部７が２つ必要となるが、この構成によれば、第１光源１１ｂ及び第２光源１３ｂの出力を実質的に同様にすれば、１つの電源部７により所望の配光制御を行うことができる。このため、照明装置１の製造コストの高騰化を抑制することができる。
【０１０８】
また、本実施の形態に係る照明装置１において、複数の光学構造８１は、光拡散面８ｂに規則的に配置されている。
【０１０９】
これによれば、出射面８ｃから略均一な光を出射することができるため、出射面８ｃから輝度斑や抑制された光を出射することができる。
【０１１０】
（実施の形態１の変形例）
［構成］
本変形例に係る照明装置の構成について、図１２を用いて説明する。
【０１１１】
図１２は、実施の形態１の変形例に係る照明装置における光学構造１８１を示す図である。図１２の（ａ）は、照明装置の導光板１０８における光拡散面１０８ｂを示す部分拡大斜視図である。図１２の（ｂ）は、照明装置の導光板１０８における光学構造１８１を示す平面図である。図１２の（ｃ）は、図１２の（ｂ）のＶＩＩＩｃ−ＶＩＩＩｃ線における導光板１０８の光学構造１８１を示す断面図である。図１２の（ｄ）は、図１２の（ｂ）のＶＩＩＩｄ−ＶＩＩＩｄ線における導光板１０８の光学構造１８１を示す断面図である。
【０１１２】
本変形例では、光学構造１８１の形状が異なっている点で実施の形態１と異なっている。また、本変形例の照明装置は、特に明記しない場合は、実施の形態１と同様であり、同一の構成については同一の符号を付して構成に関する詳細な説明を省略する。
【０１１３】
本変形例では、光学構造１８１は、第１発光モジュール１１の光軸と略平行な断面の断面形状が略二等辺三角形状をなし、この断面に対して鉛直な方向に沿って直線的に延伸するように光拡散面１０８ｂの一部を切り欠いた凹状を形成している。つまり、光学構造１８１は、Ｙ軸方向の断面で略二等辺三角形となる紡錘形状である。
【０１１４】
光学構造１８１は、長手方向に延在して光が入射する一対の反射面１８１ａを有する。光学構造１８１が紡錘形状であるため、反射面１８１ａは、曲面となる。本変形例でいう第１光源１１ｂ及び第２光源１３ｂの少なくとも一方が入射面８ａを介して反射面１８１ａと対向配置とは、光学構造１８１の長手方向と第１光源１１ｂ及び第２光源１３ｂの少なくとも一方の光軸Ｊが略直交することを意味する。
【０１１５】
なお、光学構造１８１は、導光板１０８の光拡散面１０８ｂを切り欠くことによって形成された凹状に限らず、導光板１０８の光拡散面１０８ｂからＺ軸プラス方向側に突出するように形成されていてもよい。
【０１１６】
［作用効果］
本変形例における照明装置の作用効果について説明する。
【０１１７】
上述したように、本変形例に係る照明装置において、光学構造１８１は、Ｙ軸方向の断面で略二等辺三角形となる紡錘形状である。
【０１１８】
この構成によれば、光学構造１８１が紡錘形状であるため、第１光源１１ｂ及び第２光源１３ｂが出射した光を出射面８ｃに向けて反射することができる。例えば、光学構造１８１の傾斜角、形状等を適宜変更するだけで、第１配光角及び第２配光角を調節することができるため、この導光板１０８を照明装置に用いれば、所望の配光制御を行うことができる。
【０１１９】
本変形例における他の作用効果についても、実施の形態１等と同様の作用効果を奏する。
【０１２０】
（実施の形態２）
［構成］
本実施の形態に係る照明装置の構成について、図１３を用いて説明する。
【０１２１】
図１３は、実施の形態２に係る照明装置における導光板２０８、第１発光モジュール１１及び第２発光モジュール１３を示す平面図である。
【０１２２】
本実施の形態では、光拡散面２０８ｂにおいて、大きさの異なる第１光学構造２８１及び第２光学構造２８２が存在している点で実施の形態１と異なっている。また、本実施の形態の照明装置は、特に明記しない場合は、実施の形態１等と同様であり、同一の構成については同一の符号を付して構成に関する詳細な説明を省略する。
【０１２３】
図１３に示すように、本実施の形態では、導光板２０８の光拡散面２０８ｂには、第１光学構造２８１と、第２光学構造２８２とが形成されている。複数の光学構造２８２は、複数の第１光学構造２８１と、第２光学構造２８２とを有する。
【０１２４】
第１光学構造２８１は、実施の形態１等の光学構造と同様の構成である。第２光学構造２８２は、平面視で、第１光学構造２８１と相似する形状であり、第１光学構造２８１よりも大きい。第２光学構造２８２は、光拡散面２０８ｂの中央拡散面Ｅ１に位置している。なお、第１光学構造２８１と、第２光学構造２８２とは全く同一の形状だけに限定されない。
【０１２５】
光拡散面２０８ｂは、中央拡散面Ｅ１と、周辺拡散面Ｅ２とを有する。
【０１２６】
中央拡散面Ｅ１は、光拡散面２０８ｂの中央部分に位置する。中央拡散面Ｅ１には、第２光学構造２８２が配置されている。本実施の形態では、中央拡散面Ｅ１には、１つの第２光学構造２８２が形成されている。なお、第２光学構造２８２は、中央拡散面Ｅ１に複数個所に配置されていてもよい。
【０１２７】
周辺拡散面Ｅ２は、中央拡散面Ｅ１の周囲を囲むように位置する。言い換えれば、周辺拡散面Ｅ２は、光拡散面２０８ｂの全ての外縁に接する。中央拡散面Ｅ１には、複数の第１光学構造２８１が規則的に配置されている。
【０１２８】
［解析結果］
次に、導光板２０８による配光についてのシミュレーション解析の結果について説明する。
【０１２９】
図１４は、図７の光学構造８５を用いた場合の配光曲線を示す図である。
【０１３０】
この解析では、平面視で略六角形状の導光板２０８を用いた。また、本実施の形態に係る導光板２０８に形成される光学構造２８１の代わりに、図７に示す光学構造８５と同様の光学構造が形成された導光板２０８を用いた。また、光学構造２８２においては、図７に示す光学構造８５と同様の形状、かつ、同等の大きさである。光学構造８５は、第１発光モジュール１１の光軸と略平行な断面の断面形状が台形形状であり、この断面に対して鉛直なＸ軸方向に沿って直線的に光拡散面２０８ｂの一部を切り欠いた凹状を形成している。光学構造８５は、略四角柱状の凹状であり、導光板２０８をＺ軸プラス方向側から見て、その長手方向が第１光源１１ｂの光軸Ｊと略直交する。
【０１３１】
また、この解析では、第１光源１１ｂ、第２光源１３ｂ及び導光板２０８を平面視した場合に、第１光源１１ｂの光軸Ｊが第１光学構造２８１及び第２光学構造２８２の各々の反射面に対して傾斜状態となるように配置し、第２光源１３ｂの光軸Ｊが第１光学構造２８１の反射面に対して略直交状態となるように配置した。この解析では、第１光源１１ｂの光軸Ｊと第１光学構造２８１及び第２の光学構造２８２長手方向との角度が約３０°となるように、第１光源１１ｂを配置した。
【０１３２】
この解析では、他の点について本実施の形態に係る図１３と同様の条件であり、特に記載した場合を除き、同一の条件についてはその説明を省略する。
【０１３３】
まず、以下のシミュレーション解析を行った。
【０１３４】
このシミュレーション解析では、導光板２０８を介して対向配置された一対の第１発光モジュール１１と、導光板２０８を介して対向配置された一対の第２発光モジュール１３とを用いて、導光板２０８に光を入射させた。第１発光モジュール１１の光軸と第２発光モジュール１３の光軸とは略直交している。つまり、このシミュレーション解析では、導光板２０８における６つの入射面８ａにおいて、２つの入射面８ａに第２発光モジュール１３を対向配置せずに、２つの第１発光モジュール１１と、２つの第２発光モジュール１３とを用いた。
【０１３５】
図１４の（ａ）は、第１光源１１ｂを点灯させた場合における配光曲線を示す図である。実線はＸ軸方向とＺ軸方向とで規定される平面を見た場合の配光曲線を示し、破線はＹ軸方向とＺ軸方向とで規定される平面を見た場合の配光曲線である。この場合においては、１／２ビーム角が６８．０°となった。
【０１３６】
図１４の（ｂ）は、第２光源１３ｂを点灯させた場合における配光曲線を示す図である。実線はＸ軸方向とＺ軸方向とで規定される平面を見た場合の配光曲線を示し、破線はＹ軸方向とＺ軸方向とで規定される平面を見た場合の配光曲線である。この場合においては、１／２ビーム角が２１．２°となった。
【０１３７】
［作用効果］
次に、本実施の形態における照明装置の作用効果について説明する。
【０１３８】
上述したように、本実施の形態に係る照明装置において、光拡散面８ｂは、中央部分に位置する中央拡散面Ｅ１と、中央拡散面Ｅ１の周囲を囲むように位置する周辺拡散面Ｅ２とを有する。また、複数の光学構造は、複数の第１光学構造２８１と、第１光学構造２８１よりも大きい第２光学構造２８２とを有する。さらに、少なくとも第２光学構造２８２は、中央拡散面Ｅ１に配置される。そして、第１光学構造２８１は、周辺拡散面Ｅ２に規則的に配置されている。
【０１３９】
これによれば、中央拡散面Ｅ１に第１光学構造２８１よりも大きい第２光学構造２８２が配置されているため、第１光源１１ｂが点灯した場合に狭域を照明することができ、第２光源１３ｂが点灯した場合に、第１光源１１ｂよりも広域を照明することができる。また、シミュレーション解析の様に、第１光源１１ｂ、第２光源１３ｂ及び導光板２０８を平面視した場合に、第１光源１１ｂが第１光学構造２８１の反射面に対して傾斜状態となるように配置される場合では、第２光源１３ｂが点灯した場合に狭域を照明することができ、第１光源１１ｂが点灯した場合に、第１光源１１ｂよりも広域を照明することができる。これらのことから、第１光源１１ｂ又は第２光源１３ｂを点灯すると照明装置１から出射する光を配光制御することができる。
【０１４０】
本実施の形態における他の作用効果についても、実施の形態１等と同様の作用効果を奏する。
【０１４１】
（実施の形態２の変形例）
［構成］
本変形例に係る照明装置の構成について、図１５を用いて説明する。
【０１４２】
図１５は、実施の形態２の変形例に係る照明装置における導光板３０８、第１発光モジュール１１及び第２発光モジュール１３を示す平面図である。
【０１４３】
本変形例では、中央拡散面Ｅ１に存在する第２光学構造３８２のＹ軸方向の向きが、周辺拡散面Ｅ２に存在する第１光学構造３８１のＹ軸方向の向きと相違している点で実施の形態２と異なっている。また、本変形例の照明装置は、特に明記しない場合は、実施の形態２と同様であり、同一の構成については同一の符号を付して構成に関する詳細な説明を省略する。
【０１４４】
図１５に示すように、導光板３０８の中央拡散面Ｅ１には、複数の第１光学構造３８１、及び、第２光学構造３８２が配置されている。本変形例では、中央拡散面Ｅ１には、１つの第２光学構造３８２が形成されている。なお、第２光学構造３８２は、中央拡散面Ｅ１に複数個所に配置されていてもよい。中央拡散面Ｅ１の第１光学構造３８１及び第２光学構造３８２は、長手方向がＹ軸方向と略平行となるように配置されている。なお、中央拡散面Ｅ１には、第２光学構造３８２だけが設けられていてもよい。
【０１４５】
周辺拡散面Ｅ２には、複数の第１光学構造３８１が配置されている。周辺拡散面Ｅ２の第１光学構造３８１は、長手方向がＸ軸方向と略平行となるように配置されている。
【０１４６】
［解析結果］
次に、導光板３０８による配光についてのシミュレーション解析の結果について説明する。
【０１４７】
図１６は、図７の光学構造８５を用いた場合の配光曲線を示す図である。
【０１４８】
この解析では、導光板３０８の光拡散面３０８ｂを平面視で、複数の光学構造８５が全体として略八角形状に配置した。また、この解析では、本変形例に係る導光板３０８に形成される光学構造３８１の代わりに、図７に示す光学構造８５と同様の光学構造が形成された導光板３０８を用いた。また、光学構造３８２においては、図７に示す光学構造８５と同様の形状、かつ、同等の大きさである。光学構造８５は、第１発光モジュール１１の光軸と略平行な断面の断面形状が台形形状であり、この断面に対して鉛直なＸ軸方向に沿って直線的に光拡散面３０８ｂの一部を切り欠いた凹状を形成している。光学構造８５は、略四角柱状の凹状であり、導光板３０８をＺ軸プラス方向側から見て、その長手方向が第１光源１１ｂの光軸Ｊと略直交する。
【０１４９】
まず、以下のシミュレーション解析を行った。
【０１５０】
このシミュレーション解析では、導光板３０８を介して対向配置された一対の第１発光モジュール１１と、導光板３０８を介して対向配置された一対の第２発光モジュール１３とを用いて、導光板３０８に光を入射させた。つまり、このシミュレーション解析では、導光板３０８における８つの入射面８ａにおいて、４つの入射面８ａに第２発光モジュール１３を対向配置せずに、２つの第１発光モジュール１１と、２つの第２発光モジュール１３とを用いた。第１発光モジュール１１には１つの第１光源１１ｂを設け、第２発光モジュール１３には４つの第２光源１３ｂが設けた。
【０１５１】
図１６の（ａ）は、第１光源１１ｂを点灯させた場合における配光曲線を示す図である。実線はＸ軸方向とＺ軸方向とで規定される平面を見た場合の配光曲線を示し、破線はＹ軸方向とＺ軸方向とで規定される平面を見た場合の配光曲線である。この場合においては、１／２ビーム角が２６．１°となった。
【０１５２】
図１６の（ｂ）は、第２光源１３ｂを点灯させた場合における配光曲線を示す図である。実線はＸ軸方向とＺ軸方向とで規定される平面を見た場合の配光曲線を示し、破線はＹ軸方向とＺ軸方向とで規定される平面を見た場合の配光曲線である。この場合においては、１／２ビーム角が５８．７°となった。
【０１５３】
本変形例における他の作用効果についても、実施の形態１等と同様の作用効果を奏する。
【０１５４】
（その他変形例等）
以上、本発明について、実施の形態１、２及び実施の形態１、２の変形例に基づいて説明したが、本発明は、上記実施の形態１、２及び実施の形態１、２の変形例に限定されるものではない。
【０１５５】
例えば、上記実施の形態１、２及び実施の形態１、２の変形例において、導光板の中心を基準として放射状に光学構造を配列してもよい。この場合における実施の形態２の変形例では、光拡散面の中心からの放射方向と光学構造の長手方向とが直交するように、光学構造を光拡散面に放射状に配列してもよい。
【０１５６】
また、上記実施の形態１、２及び実施の形態１、２の変形例において、導光板の中心を基準として扇状となる３以上の領域に分割してもよい。例えば、扇状となる４つの領域に分割した場合に、導光板の中心に対して対称となる２つの領域の光学構造の長手方向と、残り２つの領域の光学構造の長手方向とが略直交するように、各々の光学構造を配列してもよい。
【０１５７】
また、上記実施の形態１、２及び実施の形態１、２の変形例において、多面体構造は、２面体以上あればよく、面の数に限定されない。また、光学構造を形成する面、あるいは出射面は必ずしも平面である必要は無く、曲面であってもよい。
【０１５８】
その他、実施の形態１、２及び実施の形態１、２の変形例に対して当業者が思いつく各種変形を施して得られる形態や、本発明の趣旨を逸脱しない範囲で実施の形態１、２及び実施の形態１、２の変形例における構成要素及び機能を任意に組み合わせることで実現される形態も本発明に含まれる。
【符号の説明】
【０１５９】
１  照明装置
８、１０８、２０８、３０８  導光板
８ａ  入射面
８ｂ、１０８ｂ、２０８ｂ、３０８ｂ  光拡散面
８ｃ  出射面
８２ａ  第１反射面（反射面）
８２ｂ  第２反射面（反射面）
１８１ａ  反射面
１１ｂ  第１光源
１３ｂ  第２光源
８１、８５、１８１  光学構造
２８１、３８１  第１光学構造（光学構造）
２８２、３８２  第２光学構造（光学構造）
Ｅ１  中央拡散面
Ｅ２  周辺拡散面
【図１】
2018186006.tif 000003
【図２】
2018186006.tif 000004
【図３】
2018186006.tif 000005
【図４】
2018186006.tif 000006
【図５】
2018186006.tif 000007
【図６】
2018186006.tif 000008
【図７】
2018186006.tif 000009
【図８】
2018186006.tif 000010
【図９】
2018186006.tif 000011
【図１０】
2018186006.tif 000012
【図１１】
2018186006.tif 000013
【図１２】
2018186006.tif 000014
【図１３】
2018186006.tif 000015
【図１４】
2018186006.tif 000016
【図１５】
2018186006.tif 000017
【図１６】
2018186006.tif 000018